(57)【要約】【課題】  非常時の使用を考慮して予め用意しておく簡易な構成の照明装置を提供する。【解決手段】  本発明の照明器具は、照明光を射出する照明部と、照明電源を供給する電池と、電池を収容している電池収容部と、天井に設けられている引掛シーリングボディと係合し得る引掛シーリングキャップと同様な形状を有するが通電機能を備えない、照明部と電池収容部とを有する部分を天井に引掛けるための引掛け部材とを有することを特徴とする。【選択図】      図１
2012221750.tif 000002
【特許請求の範囲】
【請求項１】
照明光を射出する照明部と、
照明電源を供給する電池と、
上記電池を収容している電池収容部と、
天井に設けられている引掛シーリングボディと係合し得る引掛シーリングキャップと同様な形状を有するが通電機能を備えない、上記照明部と上記電池収容部とを有する部分を天井に引掛けるための引掛け部材と
を有することを特徴とする照明器具。
【請求項２】
上記照明部がＬＥＤ素子を備えるものであることを特徴とする請求項１に記載の照明器具。
【請求項３】
上記照明部、上記電池及び上記電池収容部として、懐中電灯の構成をそのまま適用していることを特徴とする請求項１に記載の照明器具。
【請求項４】
上記照明部からの照明光を散乱させる散乱部材をさらに有することを特徴とする請求項１に記載の照明器具。
【請求項５】
上記照明部からの照明光の光路を規制する傘部材をさらに有することを特徴とする請求項１に記載の照明器具。
【請求項６】
照明光を射出する照明部と、照明電源を供給する電池と、上記電池を収容している電池収容部とを有する懐中電灯において、
上記照明部が設けられている本体の端部の逆の本体の端部に、天井に設けられている引掛シーリングボディと係合し得る引掛シーリングキャップと同様な形状を有するが通電機能を備えない引掛け部材を有することを特徴とする懐中電灯。
【発明の詳細な説明】
【技術分野】
【０００１】
本発明は照明器具及び懐中電灯に関し、例えば、非常時用品として準備しておくものとして好適なものである。
【背景技術】
【０００２】
従来、天井面に取り付けられる照明器具として、二次電池を搭載し、通常時には照明ＯＮで一般電源等からの電力で照明を実行しながら二次電池を充電し、一般電源の停電等の非常時には充電した二次電池の電力で光源を点灯させる照明器具がある（特許文献１参照）。
【先行技術文献】
【特許文献】
【０００３】
【特許文献１】特開２００８−２６２７１４号公報
【発明の概要】
【発明が解決しようとする課題】
【０００４】
停電等の非常時を考慮した従来の照明器具は、通常時の照明器具を非常時にも適用し得るようにしたものである。そのため、このような照明器具を利用している者は、非常時でも照明の恩恵に蒙ることができるが、このような照明器具を備えない者は、非常時に、懐中電灯やろうそくなどによる不安定な明かりや光量が不足する明かりなどで生活を送らなければならない。非常時に対応した照明器具に買い直すことも考えられるが、天井面に設けられるような照明器具は、照明能力が高かったりデザインが凝っていたりするなど、高価なものであって、既存の照明器具が使用できるうちに買い直す利用者は少ない。
【０００５】
本発明は、以上の点に鑑みなされたものであり、非常時の使用を考慮して予め用意しておく簡易な構成の照明装置や、その照明装置の要素となり得る懐中電灯を提供しようとしたものである。
【課題を解決するための手段】
【０００６】
第１の本発明の照明器具は、（１）照明光を射出する照明部と、（２）照明電源を供給する電池と、（３）上記電池を収容している電池収容部と、（４）天井に設けられている引掛シーリングボディと係合し得る引掛シーリングキャップと同様な形状を有するが通電機能を備えない、上記照明部と上記電池収容部とを有する部分を天井に引掛けるための引掛け部材とを有することを特徴とする。
【０００７】
第２の本発明は、照明光を射出する照明部と、照明電源を供給する電池と、上記電池を収容している電池収容部とを有する懐中電灯において、上記照明部が設けられている本体の端部の逆の本体の端部に、天井に設けられている引掛シーリングボディと係合し得る引掛シーリングキャップと同様な形状を有するが通電機能を備えない引掛け部材を有することを特徴とする。
【発明の効果】
【０００８】
本発明によれば、非常時の使用を考慮して予め用意しておく簡易な構成の照明装置や懐中電灯を提供することができる。
【図面の簡単な説明】
【０００９】
【図１】第１の実施形態に係る照明器具を示す一部破断正面図である。
【図２】ＬＥＤ素子の配置方法に関する、第１の実施形態の変形例を示す説明図である。
【図３】第１の実施形態における電池収容部の一例を示す平面図である。
【図４】第１の実施形態における傘部の第１の構成例を示す説明図である。
【図５】第１の実施形態における傘部の第２の構成例を示す説明図である。
【図６】第１の実施形態における散乱板の一例を示す平面図である。
【図７】第２の実施形態に係る照明器具を示す正面図である。
【図８】第２の実施形態の一部を変形した照明器具を示す正面図である。
【図９】第３の実施形態に係る照明器具を示す一部破断正面図である。
【図１０】第４の実施形態に係る照明器具を示す一部破断正面図である。
【発明を実施するための形態】
【００１０】
（Ａ）第１の実施形態
以下、本発明による照明器具の第１の実施形態を、図面を参照しながら詳述する。図１は、第１の実施形態に係る照明器具を示す一部破断正面図である。
【００１１】
第１の実施形態に係る照明器具１は、例えば、非常時用食料や懐中電灯等を含む非常時用セットの一要素になって用意されていたり、単独で、非常時用として用意されていたりするものである。第１の実施形態に係る照明器具１は、例えば、使用時に組み立てられて図１に示す形状を有するものとなる。なお、当初より組み立てられていて（言い換えると、組み立てられた状態で販売されて）、非常時用として保管されているものであっても良い。
【００１２】
図１において、第１の実施形態に係る照明器具１は、照明部２、傘部３、散乱板４及び引掛け部５を有する。
【００１３】
照明部２は、例えば、下部が円錐台（若しくは正多角形錐台）形状であって、上部がそれに連続する円筒（若しくは正多角形の筒体）形状を有し、円錐台形状部分によって、傘部３の上部内面に接して傘部３を吊り下げるようになされている。ここで、傘部３を照明部２に固着しないことを意図しているが、ビスや接着剤等によって傘部３を照明部２に固着するようにしても良い。
【００１４】
照明部２は、下面に照射方向が下向きに取り付けられた１又は複数のＬＥＤ素子１０を備え、内部には、ＬＥＤ素子１０を駆動するＬＥＤ駆動回路を有する。ここで、複数のＬＥＤ素子１０を利用する場合においては、白色のＬＥＤ素子と電球色のＬＥＤ素子とを混在させ、照明光が和やかな雰囲気を醸し出させるようにすることが好ましい。
【００１５】
ＬＥＤ素子１０の個数は、例えば、当該照明器具１の照明下で、普通の生活ができるような明るさを提供できる個数に選定される。例えば、いわゆる６０Ｗ程度の電球が提供できる明るさと同程度の明るさを提供できる個数に選定される。
【００１６】
図１では、全てのＬＥＤ素子１０を同一面に設けた場合を示しているが、ＬＥＤ素子１０の設定方法はこれに限定されない。例えば、図２（Ａ）や（Ｂ）に示すように、照明部２の下方に立方体等の多面体部分２ａを設け、複数のＬＥＤ素子１０を異なる面に１個又は複数個配置したものであっても良い。
【００１７】
また、照明部２は、電源としての電池を着脱自在に収容する収容部や電源のＯＮやＯＦＦを指示する電源スイッチ（図示せず）を有する。図３は、電池１１を収容する電池収容部１２の一例を示している。図３に示す例は、照明部２の上面に設けられた凹部で電池収容部１２を構成した例であり、円筒形状（例えば、いわゆる単３電池形状）の複数本（例えば４本）の１次又は２次電池１１を直列に接続させるような形状を有している。電池１１は、円筒形状のものに限定されず、ボタン型や直方体型の電池であっても良い。
【００１８】
図１や図３とは異なり、電池収容部１２に電源ケーブルの接続部を設け、電源ケーブルを接続した状態で電池（２次電池）１１を充電し得るようにしても良い。また、別体の構成要素として、充電器を備えるものであっても良い。
【００１９】
電源スイッチ（図示せず）は、ディップスイッチやスライドスイッチや押圧スイッチ等に限らず、紐を引く毎にＯＮとＯＦＦとが切り替わるものであっても良い。
【００２０】
なお、照明部２の上面には、電池収納部１２の他に、後述する吊り下げ紐１６の先端に設けられているフックを係止するための係止孔１３が設けられている。
【００２１】
傘部３は、例えば、円錐台（若しくは正多角形錐台）形状を有するものであり、例えば、組立前の状態においては平板状であることが好ましい。例えば、図４（Ａ）及び（Ｂ）に示すように、径が異なる芯材をシートに対して余裕を持って同心円に取り付けた、いわゆる提灯の上部のような構造で、傘部３を構成するようにしても良い。また例えば、図５（Ａ）及び（Ｂ）に示すように、複数の等脚台形を周方向に連結させた構造で、傘部３を構成するようにしても良い。この場合、展開時において両端に位置する２つの等脚台形を組立時に連結することを要するが、連結方法はビス止め、接着等、任意の方法を適用すれば良い。傘部３は、内面が反射するようになっていることが好ましい。傘部３は、例えば、内面が銀色の紙等の安価な材料を用いて構成することができる。
【００２２】
散乱板４は、例えば、内面又は外面の少なくとも一方に粗面化処理が施された透光性を有する材質でなるものであり、ＬＥＤ素子１０からの指向性が狭い光線を散乱させて指向性を広げるものである。例えば、ＬＥＤ素子１０として発光色が異なるものが混在していたとしても、散乱板４の機能により、複数の発光色が混合され、それぞれの発光色を看者が意識しないで済むようになる。また、散乱板４が所望の色成分（例えば乳白色）を有するものであっても良く、このようにした場合には、その色成分によって看者がまぶしく感じることを軽減することができる。
【００２３】
散乱板４の材質は限定されるものではないが、価格面を考慮すると、例えば、アクリルやプラスチックを適用でき、強度（衝撃に強い）を考慮すると、例えば、ポリカーボネイトやガラスを適用でき、非変色性を考慮すると、例えば、ガラスを適用することができる。散乱板４の色も限定されるものではないが、例えば、白色、乳白色、電球色を適用でき、光源によっては（例えばＬＥＤ電球の使用時）透明であっても良い。
【００２４】
散乱板４を傘部３に取り付ける方法は任意である。例えば、図６に示すように、円形又は正多角形の散乱板４の外周の複数箇所に突片４ａを設け、図示は省略するが、傘部３にその突片４ａを受け入れる孔を設け、受入孔に突片４ａを貫通させることで散乱板４を傘部３に取り付けるようにしても良い。
【００２５】
なお、傘部３と散乱板４とが当初から一体的に構成されたものであっても良い。
【００２６】
引掛け部５は、天井に設けられている引掛シーリングボディ６を利用して、当該照明器具１を天井に取り付けるものである。引掛け部５は、疑似引掛シーリングキャップ１５、吊り下げ紐１６を有する。疑似引掛シーリングキャップ１５は、引掛シーリングボディ６と係合するものである。この第１の実施形態の場合、疑似引掛シーリングキャップ１５は、引掛シーリングボディ６と係合していても、電流経路を構成させないものである。すなわち、停電ではなく、通常の電源供給が行われているときでも、疑似引掛シーリングキャップ１５は、正負電源電圧ライン間の開放状態を維持させるものである。このことは、停電から復帰しても、当該照明器具１に電源が供給されないことを意味している。吊り下げ紐１６は、１本又は複数本設けられているものであり、引掛シーリングボディ６に係合している疑似引掛シーリングキャップ１５に、照明部２等を吊り下げるものである。吊り下げ紐１６と照明部２との連結方法は任意であるが、上述したように、図３はフックを利用する場合を示している。
【００２７】
なお、引掛シーリングボディ６が天井に設けられていなくても対応できるように、当該照明器具１のセット販売品に、引掛シーリングボディやそれを取り付けるためのビスやビスを回動させるドライバー等を含めるようにしても良い。
【００２８】
図１では、疑似引掛シーリングキャップ１５に、照明部２が吊り下げ紐１６を介して連結されている場合を示したが、疑似引掛シーリングキャップ１５に照明部２が直接接続されたものであっても良い。すなわち、天井に直付けの照明器具であっても良い。
【００２９】
第１の実施形態の照明器具１を非常時用のものとして用意している状態で、災害や計画停電等が発生し、電源供給が停止したときには、天井に設けられている本来の照明器具に代えて、第１の実施形態の照明器具１を取り付けることになる。
【００３０】
本来の照明器具の引掛シーリングキャップを、天井の引掛シーリングボディ６から離脱させ、第１の実施形態の照明器具１を取り付けることができる状態にする。
【００３１】
利用者は、照明部２の電池の収容部に電池を収容（装着）させる。また、利用者は、吊り下げ紐１６の先端を照明部２に係止する。されに、平板状の傘部３を立体的な傘部にさせる。その後、疑似引掛シーリングキャップ１５を傘部３の上部開口を通過させ、そのまま上方に照明部２及び傘部３ごと引き上げ、疑似引掛シーリングキャップ１５を天井の引掛シーリングボディ６に装着させる。そして、散乱板４を傘部３に取り付ける。その後、必要に応じて電源スイッチをＯＮ、ＯＦＦする。なお、照明器具１を取り付ける作業中に、電源スイッチをＯＮするようにしても良い。
【００３２】
第１の実施形態によれば、非常時に、通常時に適用される照明装置に容易に置き換えることができる、簡易な構成の照明装置を提供することができる。
【００３３】
ここで、通常時に適用される照明装置が装着されていた引掛シーリングボディをそのまま利用できるので、装着のための作業を簡単なものとすることができる。
【００３４】
ＬＥＤ素子による照明であるので、電源が電池であっても長時間の照明を可能とすることができる。ＬＥＤ素子を適用しても、傘部や散乱板の機能により、照明範囲を広いものとすることができ、しかも、照明色も和やかな雰囲気を出せるものとすることができる。
【００３５】
さらに、停電から復帰しても、疑似引掛シーリングキャップは本来のものと異なり通電機能がないので、照明器具に損傷を与えるようなことはない。
【００３６】
（Ｂ）第２の実施形態
次に、本発明による照明器具及び懐中電灯の第２の実施形態を、図面を参照しながら詳述する。図７は、第２の実施形態に係る照明器具を示す正面図である。
【００３７】
第２の実施形態に係る照明器具１Ａも、例えば、非常時用食料や懐中電灯等を含む非常時用セットの一要素になって用意されていたり、単独で、非常時用として用意されていたりするものである。
【００３８】
図７において、第２の実施形態に係る照明器具１Ａは、懐中電灯２０及び散乱・傘部２１を有する。
【００３９】
第２の実施形態における懐中電灯２０は、持ち運びに便利なように、非照明側の端部に設けられたストラップ２２の一端に疑似引掛シーリングキャップ２３が取り付けられているものである。第２の実施形態の場合も、疑似引掛シーリングキャップ２３は外見だけが引掛シーリングキャップになっているものであって、引掛シーリングボディ６に装着されても、懐中電灯２０の本体側への通電機能はないものであり、天井への取付け器具としてのみ機能するものである。なお、ストラップ２２を省略し、懐中電灯２０の基端に疑似引掛シーリングキャップ２３を直接設けるようにしても良い。また、疑似引掛シーリングキャップ２３が懐中電灯２０に固着されているものを示したが、疑似引掛シーリングキャップ２３が懐中電灯２０に着脱自在なものであっても良い。
【００４０】
散乱・傘部２１は、例えば、散乱機能を発揮する散乱板２４と内面の反射機能を発揮する複数の傘片２５とが非常時用セットに収められている状態で既に散乱板２４の外周部分で連結されているものである。傘片２５は、散乱板２４との連結部分を中心として回動可能なものであり、当該照明装置１Ａの組立前の状態では、散乱板２４の内面側に倒れている。組立時においては、傘片２５を起立方向に回動させ、懐中電灯２０の照明側の拡径部２６を起立でできた内部空間に挿入し、その後、傘片２５を倒して傘片２５の内面を拡径部２６の外面に接触させる。この状態で、輪ゴム２７を傘片２５の先端の折返し部２８に引掛けることで、散乱・傘部２１を懐中電灯２０に固定させる。
【００４１】
散乱板や傘部（傘片）を懐中電灯２０に装着する方法は、図７に示す方法に限定されず、任意の方法を適用しても良い。
【００４２】
懐中電灯２０の光源はＬＥＤ素子に限定されるものではないが、非常時でも、天井に設けられた照明器具１Ａの照明時間はそれなりに長い時間になると推測できるので、消費電力が少ないＬＥＤ素子を有する懐中電灯であることが好ましい。
【００４３】
第２の実施形態によっても、非常時に、通常時に適用される照明装置に容易に置き換えることができる、簡易な構成の照明装置を提供することができる。第２の実施形態によれば、懐中電灯を非常時の照明装置に利用しているので、必要に応じて、懐中電灯を懐中電灯として用いることができる。
【００４４】
図８は、第２の実施形態の一部を変形した照明器具を示す正面図である。図８に示す照明器具１ＡＡは、図７における散乱・傘部２１に代えて、半球状の散乱部材２９を適用したものである。散乱部材２９は厚みが概ね均一のものであり、例えば、内面側に散乱処理が施されたものである。散乱部材２９の懐中電灯２０に対する取付け方法は任意である。例えば、散乱部材２９の先端部外周に雄ネジを切っておくと共に、散乱部材２９の端部近傍の内面に雌ネジをきっておき、螺合によって取り付けるものであっても良い。
【００４５】
ストラップ２２、疑似引掛シーリングキャップ２３及び散乱部材２９をそれぞれ、若しくは、ストラップ２２、疑似引掛シーリングキャップ２３及び散乱部材２９の組を、懐中電灯に対するアダプタとして、懐中電灯と別売で販売するようにしても良い。懐中電灯を照明器具に変換する部品若しくは部品セットとして、ストラップ２２、疑似引掛シーリングキャップ２３、散乱部材２９を販売するようにしても良い。
【００４６】
（Ｃ）第３の実施形態
次に、本発明による照明器具の第３の実施形態を、図面を参照しながら詳述する。図９は、第３の実施形態に係る照明器具を示す一部破断正面図である。
【００４７】
第３の実施形態に係る照明器具１Ｂも、例えば、非常時用食料や懐中電灯等を含む非常時用セットの一要素になって用意されていたり、単独で、非常時用として用意されていたりするものである。
【００４８】
図９において、第３の実施形態に係る照明器具１Ｂは、懐中電灯収容部３０、懐中電灯３１、傘部３２及び散乱板３３を有する。
【００４９】
傘部３２及び散乱板３３は、第１の実施形態のものと同様なものであるので、その説明は省略する。また、懐中電灯３１は一般的な懐中電灯であるので、その説明は省略する。但し、光源がＬＥＤ素子であることが好ましい。
【００５０】
懐中電灯収容部３０は、半円筒状の外形を有する。懐中電灯収容部３０の下部は開口３４となっており、この開口の周辺が懐中電灯３１を載置する載置部３５になっている。懐中電灯収容部３０の上部の外面側には、疑似引掛シーリングキャップ３６が設けられている。第３の実施形態の場合も、疑似引掛シーリングキャップ３６は外見だけが引掛シーリングキャップになっているものであって、引掛シーリングボディ６に装着されても、懐中電灯３１の本体側への通電機能はないものであり、天井への取付け器具としてのみ機能するものである。懐中電灯収容部３０の上部の内面には、懐中電灯３１を下方に（載置部３５側へ）押圧するコイルスプリング３７が設けられている。
【００５１】
利用者は、懐中電灯３１の円筒部を指等でつかみ、懐中電灯収容部３０の半円筒状の開放側から、懐中電灯３１の基端でコイルスプリング３７を押しながら、懐中電灯３１を懐中電灯収容部３０の中に入れ、懐中電灯３１の照明側の端部を載置部３５に載置して手を離すことで懐中電灯３１を懐中電灯収容部３０に収納することができる。このような状態で、懐中電灯３１の電源をＯＮすることにより、照明器具１Ｂは照明状態になる。上記と逆の手順により、懐中電灯３１を懐中電灯収容部３０から取り出すことができる。
【００５２】
懐中電灯３１を着脱自在に収容したり取り付けたりする方法は、上記方法に限定されるものではない。
【００５３】
なお、図９とは異なり、半円筒状の懐中電灯収容部３０に整合する、半円筒状の蓋部材を設け、懐中電灯３１の装着や取出しを、蓋部材を開けて行うようにしても良い。
【００５４】
第３の実施形態によっても、非常時に、通常時に適用される照明装置に容易に置き換えることができる、簡易な構成の照明装置を提供することができる。第３の実施形態によれば、懐中電灯を非常時の照明装置に利用しているので、必要に応じて、懐中電灯を懐中電灯として用いることができる。第３の実施形態によれば、通常の懐中電灯を用いて照明装置を構成することができる。
【００５５】
（Ｄ）第４の実施形態
次に、本発明による照明器具の第４の実施形態を、図面を参照しながら詳述する。図１０は、第４の実施形態に係る照明器具を示す一部破断正面図であり、上述した第１の実施形態に係る図１との同一、対応部分には同一符号を付して示している。
【００５６】
第４の実施形態に係る照明器具１Ｃも、例えば、非常時用食料や懐中電灯等を含む非常時用セットの一要素になって用意されていたり、単独で、非常時用として用意されていたりするものである。
【００５７】
第４の実施形態に係る照明器具１Ｃは、傘部３として、天井に取り付けられている既存の照明器具の傘部を利用したものである。照明部２は、既存の照明器具の傘部を引掛けて保持する形状を有している。第４の実施形態の場合、散乱板４は、例えば、両面テープ４０等によって、傘部３の下方に取り付けられる。
【００５８】
第４の実施形態によっても、非常時に、通常時に適用される照明装置に容易に置き換えることができる、簡易な構成の照明装置を提供することができる。第４の実施形態によれば、既存の照明器具の傘部を利用しているので、セットとして販売するような場合に傘部を部材として盛り込んでおく必要はなくなり、安価になると共に、保管に割かれる占有空間を小さいものとすることができる。
【００５９】
（Ｅ）他の実施形態
上記各実施形態の説明においても、種々変形実施形態に言及したが、さらに、以下に例示する様な変形実施形態を挙げることができる。
【００６０】
第１及び第４の実施形態では、照明部にＬＥＤ素子が組み込まれたものを示したが、照明部がＬＥＤ電球等を取り付けられる電球用ソケットを有し、その電球用ソケットにＬＥＤ電球等を取り付けて照明部を完成させるようにしても良い。このような場合であれば、散乱板を省略することも可能である。
【００６１】
上記各実施形態では、調光機能を備えないものを示したが、光量を変化できる調光機能を備えるようにしても良い。調光の可変は、抓みの位置変化で行うものであっても良く、リモコン等で指示するものであっても良い。
【００６２】
上記各実施形態では、疑似引掛シーリングキャップは単に天井への取付け機能だけを果たすものであったが、例えば、停電から回復した通電時に点灯するような発光素子を疑似引掛シーリングキャップに設けて、停電からの回復を報知できるようにしても良い。
【００６３】
なお、上記各実施形態で説明した非常時用の照明器具として、照明対象の空間で異なるものを用意しておくようにしても良い。例えば、室内用の照明器具と廊下用の照明器具とを用意し、その指向性を変えるようにしても良い。
【符号の説明】
【００６４】
１、１Ａ、１ＡＡ、１Ｂ、１Ｃ…照明器具、２…照明部、３、３２…傘部、４、２４、３３…散乱板、５…引掛け部、６…引掛シーリングボディ、１０…ＬＥＤ素子、１１…電池、１２…電池収容部、１５、２３、３６…疑似引掛シーリングキャップ、２０、３１…懐中電灯、２１…散乱・傘部、２５…傘片、２９…散乱部材、３０…懐中電灯収容部。
【図１】
2012221750.tif 000003
【図２】
2012221750.tif 000004
【図３】
2012221750.tif 000005
【図４】
2012221750.tif 000006
【図５】
2012221750.tif 000007
【図６】
2012221750.tif 000008
【図７】
2012221750.tif 000009
【図８】
2012221750.tif 000010
【図９】
2012221750.tif 000011
【図１０】
2012221750.tif 000012
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
照明光を射出する照明部と、照明電源を供給する電池と、上記電池を収容していると共に先端に上記照明部が設けられている筒体でなる電池収容部とを有する懐中電灯と、
上記懐中電灯を上記照明部を下側にして天井に直接的又は間接的に引掛ける、上記天井に設けられている引掛シーリングボディと係合し得る引掛シーリングキャップと同様な形状を有するが通電機能を備えない引掛け部材と、
上記照明部からの照明光を散乱させる散乱部材と
を有することを特徴とする照明器具。
【請求項２】
上記照明部がＬＥＤ素子を備えるものであることを特徴とする請求項１に記載の照明器具。
【請求項３】
上記懐中電灯を着脱自在に収容する懐中電灯収納部を備え、上記懐中電灯収納部の基端側に、上記引掛け部材が設けられていることを特徴とする請求項１に記載の照明器具。
【請求項４】
上記照明部からの照明光の光路を規制する傘部材をさらに有することを特徴とする請求項１に記載の照明器具。
【請求項５】
照明光を射出する照明部と、照明電源を供給する電池と、上記電池を収容していると共に先端に上記照明部が設けられている筒体でなる電池収容部とを有する懐中電灯において、
上記電池収容部の基端に、天井に設けられている引掛シーリングボディと係合し得る引掛シーリングキャップと同様な形状を有するが通電機能を備えない引掛け部材を有することを特徴とする懐中電灯。
【手続補正２】
【補正対象書類名】明細書
【補正対象項目名】０００６
【補正方法】変更
【補正の内容】
【０００６】
第１の本発明の照明器具は、（１）照明光を射出する照明部と、照明電源を供給する電池と、上記電池を収容していると共に先端に上記照明部が設けられている筒体でなる電池収容部とを有する懐中電灯と、（２）上記懐中電灯を上記照明部を下側にして天井に直接的又は間接的に引掛ける、上記天井に設けられている引掛シーリングボディと係合し得る引掛シーリングキャップと同様な形状を有するが通電機能を備えない引掛け部材と、（３）上記照明部からの照明光を散乱させる散乱部材とを有することを特徴とする。
【手続補正３】
【補正対象書類名】明細書
【補正対象項目名】０００７
【補正方法】変更
【補正の内容】
【０００７】
第２の本発明は、照明光を射出する照明部と、照明電源を供給する電池と、上記電池を収容していると共に先端に上記照明部が設けられている筒体でなる電池収容部とを有する懐中電灯において、上記電池収容部の基端に、天井に設けられている引掛シーリングボディと係合し得る引掛シーリングキャップと同様な形状を有するが通電機能を備えない引掛け部材を有することを特徴とする。